【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
プログラマブルバッファにおいて入力クロック信号を受信することと、電圧レベルを有するフィルタされた信号を生成するために前記プログラマブルバッファからの出力信号をフィルタすることと、前記電圧レベルが前記出力信号のデューティサイクルを示す、
比較信号を生成するために前記フィルタされた信号の前記電圧レベルを基準電圧と比較することと、
較正有限状態機械におけるクロックドイネーブル信号の値に応答して、前記比較信号に基づいて、および前記プログラマブルバッファに提供された少なくとも１つの他のデジタルコードに基づいて、前記較正有限状態機械における第１のデジタルコードを生成することと、
ノードの充電速度を変えて前記プログラマブルバッファの前記出力信号の前記デューティサイクルを調整するために、前記入力クロック信号の論理レベルに基づいて、および前記較正有限状態機械からの前記第１のデジタルコードに基づいて、前記プログラマブルバッファのデジタル論理の第１のセットを選択的にアクティブにすることと、
を備える、方法。
【請求項２】
前記クロックドイネーブル信号の前記値に応答して、前記比較信号に基づいて、および前記プログラマブルバッファに提供された前記少なくとも１つの他のデジタルコードに基づいて、前記較正有限状態機械における第２のデジタルコードを生成することと、
前記ノードの放電速度を変えて前記プログラマブルバッファの前記出力信号の前記デューティサイクルを調整するために、前記入力クロック信号の前記論理レベルに基づいて、および前記較正有限状態機械からの前記第２のデジタルコードに基づいて、前記プログラマブルバッファのデジタル論理の第２のセットを選択的にアクティブにすることと、
をさらに備える、請求項１に記載の方法。
【請求項３】
較正有限状態機械から１つまたは複数の追加のプログラマブルバッファに前記第１のデジタルコードと前記第２のデジタルコードを送ることをさらに備え、ここにおいて、前記１つまたは複数の追加のプログラマブルバッファの各々が出力クロック信号を生成する、請求項２に記載の方法。
【請求項４】
デジタル論理の前記第１のセットを選択的にアクティブにすることが、前記ノードと電源との間に並列接続されている複数のｐ形金属酸化物半導体（ＰＭＯＳ）トランジスタのうちの少なくとも１つのＰＭＯＳトランジスタを選択的にアクティブにすることを含み、ここにおいて、前記出力信号の論理レベルが、前記ノードの充電に基づいて前記ノードにおいて生成され、ここにおいて、前記少なくとも１つのＰＭＯＳトランジスタを選択的にアクティブにすることが、前記第１のデジタルコードに基づく、請求項１に記載の方法。
【請求項５】
デジタル論理の第２のセットを選択的にアクティブにすることが、前記ノードと接地ノードとの間に並列接続されている複数のｎ形金属酸化物半導体（ＮＭＯＳ）トランジスタのうちの少なくとも１つのＮＭＯＳトランジスタを選択的にアクティブにすることを含み、ここにおいて、前記少なくとも１つのＮＭＯＳトランジスタが、前記ＮＭＯＳトランジスタに接続されている否定ＯＲ（ＮＯＲ）デジタル論理ゲートによって選択的にアクティブにされる、請求項１に記載の方法。
【請求項６】
前記出力信号が出力クロック信号である、請求項１に記載の方法。
【請求項７】
前記出力信号が５０パーセントのデューティサイクルを有する、請求項１に記載の方法。
【請求項８】
前記入力クロック信号のデューティサイクルが５０パーセントでない、請求項７に記載の方法。
【請求項９】
前記基準電圧が、５０パーセントデューティサイクルを示す直流（ＤＣ）電圧レベルに対応する、請求項１に記載の方法。
【請求項１０】
前記フィルタされた信号の前記電圧レベルが前記出力信号のＤＣ電圧レベルに対応する、請求項９に記載の方法。
【請求項１１】
フィルタされた信号の電圧レベルと基準電圧とに基づいて比較信号を生成するように構成された比較器と、
較正有限状態機械であって、クロックドイネーブル信号の値に応答して、前記比較信号に基づいて、および前記較正有限状態機械の少なくとも１つの他のデジタルコードに基づいて、第１のデジタルコードを生成するように構成された較正有限状態機械と、
受信された入力クロック信号に基づいて出力信号を生成するように構成されたプログラマブルバッファと、ここにおいて、前記プログラマブルバッファが、ノードの充電速度を変えて前記プログラマブルバッファの前記出力信号のデューティサイクルを調整するために、前記入力クロック信号の論理レベルに基づいて、および前記較正有限状態機械からの前記第１のデジタルコードに基づいて、前記プログラマブルバッファのデジタル論理の第１のセットを選択的にアクティブにするように構成されている、
を備える装置。
【請求項１２】
前記較正有限状態機械が前記比較信号に基づいて、および前記少なくとも１つの他のデジタルコードに基づいて第２のデジタルコードを生成し、ここにおいて、前記プログラマブルバッファが、前記ノードの放電速度を変えて前記プログラマブルバッファの前記出力信号の前記デューティサイクルを調整するために、前記入力クロックの前記論理レベルに基づいて、および前記較正有限状態機械からの前記第２のデジタルコードに基づいて、前記プログラマブルバッファのデジタル論理の第２のセットを選択的にアクティブにするように構成されている、請求項１１に記載の装置。
【請求項１３】
前記プログラマブルバッファに前記第１のデジタルコードを提供するように構成された第１のマルチプレクサと、
前記プログラマブルバッファに前記第２のデジタルコードを提供するように構成された第２のマルチプレクサと、
をさらに備える、請求項１２に記載の装置。
【請求項１４】
前記出力信号をフィルタすることによって前記フィルタされた信号を生成するように構成されたローパスフィルタ回路をさらに備え、ここにおいて、前記フィルタされた信号が、前記出力信号の前記デューティサイクルを示す電圧レベルを有する、請求項１１に記載の装置。
【請求項１５】
少なくとも１つの半導体ダイ中に統合される、請求項１１に記載の装置。
【請求項１６】
前記プログラマブルバッファがその中に統合される、セットトップボックス、音楽プレーヤ、ビデオプレーヤ、エンターテインメントユニット、ナビゲーションデバイス、通信デバイス、携帯情報端末（ＰＤＡ）、固定ロケーションデータユニット、およびコンピュータからなるグループから選択されたデバイスをさらに備える、請求項１１に記載の装置。
【請求項１７】
電圧レベルを有するフィルタされた信号を生成するためにプログラマブルバッファの出力信号をフィルタするための手段と、前記電圧レベルが出力信号のデューティサイクルを示す、
比較信号を生成するために前記フィルタされた信号の前記電圧レベルを基準電圧と比較するための手段と、
クロックドイネーブル信号の値に応答して第１のデジタルコードを生成するための手段と、ここにおいて、前記第１のデジタルコードが前記比較信号と前記プログラマブルバッファに提供された少なくとも１つの他のデジタルコードとに基づいて生成される、
ノードの充電速度を変えるために、入力クロック信号の論理レベルに基づいて、および前記第１のデジタルコードに基づいて、前記プログラマブルバッファのデジタル論理の第１のセットを選択的にアクティブにするための手段と、
を備える、装置。
【請求項１８】
前記クロックドイネーブル信号の前記値に応答して第２のデジタルコードを生成するための手段と、ここにおいて、前記第２のデジタルコードが、前記比較信号と前記プログラマブルバッファに提供された前記少なくとも１つの他のデジタルコードとに基づいて生成される、
前記ノードの充電速度を変えるために、前記入力クロック信号の前記論理レベルと前記第２のデジタルコードとに基づいて前記プログラマブルバッファのデジタル論理の第２のセットを選択的にアクティブにするための手段と、
をさらに備える、請求項１７に記載の装置。
【請求項１９】
デジタル論理の前記第１のセットを選択的にアクティブにするための前記手段が、１つまたは複数のプログラマブルバッファに前記第１のデジタルコードを送るための手段を含み、ここにおいて、デジタル論理の前記第２のセットを選択的にアクティブにするための前記手段が、前記１つまたは複数のプログラマブルバッファに前記第２のデジタルコードを送るための手段を含み、ここにおいて、前記１つまたは複数のプログラマブルバッファの各々が、出力クロック信号を生成する、請求項１８に記載の装置。
【請求項２０】
デジタル論理の前記第１のセットを選択的にアクティブにするための前記手段が、前記第１のデジタルコードまたは前記第２のデジタルコードに基づいて、前記ノードと電源との間に並列接続されている複数のｐ形金属酸化物半導体（ＰＭＯＳ）トランジスタのうちの少なくとも１つのＰＭＯＳトランジスタを選択的にアクティブにするための、前記ノードと接地との間に並列接続されている複数のｎ形金属酸化物半導体（ＮＭＯＳ）トランジスタのうちの少なくとも１つのＮＭＯＳトランジスタを選択的にアクティブにするための手段、またはそれらの任意の組合せ、を備え、ここにおいて、前記ノードに結合されている前記複数のＰＭＯＳトランジスタの各々と、前記ノードに結合されている前記複数のＮＭＯＳトランジスタの各々が、前記第１のデジタルコードまたは前記第２のデジタルコードによって独立して制御される、請求項１８に記載の装置。
【請求項２１】
プロセッサによって実行されたとき、前記プロセッサに、
較正有限状態機械におけるクロックドイネーブル信号の値に応答して、比較信号に基づいて、およびプログラマブルバッファに提供された少なくとも１つの他のデジタルコードに基づいて、前記較正有限状態機械における第１のデジタルコードを生成することと、
プログラマブルバッファに前記第１のデジタルコードを出力することと、ここにおいて、前記プログラマブルバッファが、ノードの充電速度を変えて前記プログラマブルバッファの出力信号のデューティサイクルを調整するために、入力クロック信号の論理レベルと前記第１のデジタルコードとに基づいてデジタル論理の第１のセットを選択的にアクティブにするように構成されている、
を行わせる命令を備える、非一時的コンピュータ可読媒体。
【請求項２２】
前記命令が、前記プロセッサによって実行されたとき、前記プロセッサに、前記クロックドイネーブル信号に応答して、前記比較信号と前記少なくとも１つの他のデジタルコードとに基づいて、前記較正有限状態機械における第２のデジタルコードを生成すること、ここにおいて、前記プログラマブルバッファが、前記ノードの放電速度を変えるために、前記入力クロックの前記論理レベルと前記較正有限状態機械からの前記第２のデジタルコードとに基づいて前記プログラマブルバッファのデジタル論理の第２のセットを選択的にアクティブにするように構成されている、をさらに行わせる、請求項２１に記載の非一時的コンピュータ可読媒体。
【請求項２３】
前記命令が、前記プロセッサによって実行されたとき、前記プロセッサに、１つまたは複数の追加のプログラマブルバッファに前記第１のデジタルコードと前記第２のデジタルコードを送ること、ここにおいて、前記１つまたは複数の追加のプログラマブルバッファの各々が出力クロック信号を生成する、をさらに行わせる、請求項２２に記載の非一時的コンピュータ可読媒体。
【請求項２４】
プログラマブルバッファにおいて入力クロック信号を受信するためのステップと、ここにおいて、前記プログラマブルバッファが、第１のデジタルコードに基づいて前記プログラマブルバッファのノードを選択的に充電し、第２のデジタルコードに基づいて前記ノードを選択的に放電するように構成されている、
電圧レベルを有するフィルタされた信号を生成するために前記プログラマブルバッファからの出力信号をフィルタするためのステップと、前記電圧レベルが前記出力信号のデューティサイクルを示す、
比較信号を生成するために前記フィルタされた信号の前記電圧レベルを基準電圧と比較するためのステップと、
クロックドイネーブル信号の値に応答して、前記比較信号と前記プログラマブルバッファに提供された少なくとも１つの他のデジタルコードとに基づいて、第１のデジタルコードを生成するためのステップと、
前記クロックドイネーブル信号に応答して、前記比較信号と前記プログラマブルバッファに提供された前記少なくとも１つの他のデジタルコードとに基づいて、第１のデジタルコードおよび第２のデジタルコードを生成するためのステップと、
前記ノードの充電速度を変えるために、前記入力クロック信号の論理レベルと前記第１のデジタルコードとに基づいて前記プログラマブルバッファのデジタル論理の第１のセットを選択的にアクティブにすることによって、前記プログラマブルバッファの前記出力信号のデューティサイクルを調整するためのステップと、
前記ノードの放電速度を変えるために前記入力クロック信号の前記論理レベルと前記第２のデジタルコードとに基づいて前記プログラマブルバッファのデジタル論理の第２のセットを選択的にアクティブにすることによって、前記プログラマブルバッファの前記出力信号の前記デューティサイクルを調整するためのステップと、
を備える、方法。
【請求項２５】
１つまたは複数の追加のプログラマブルバッファに前記第１のデジタルコードおよび前記第２のデジタルコードを送るためのステップをさらに備え、ここにおいて、前記１つまたは複数の追加のプログラマブルバッファの各々が出力クロック信号を生成する、請求項２４に記載の方法。
【手続補正２】
【補正対象書類名】明細書
【補正対象項目名】０１０３
【補正方法】変更
【補正の内容】
【０１０３】
[00110]  開示した実施形態の上記の説明は、開示した実施形態を当業者が作成または使用できるように行ったものである。これらの実施形態への様々な変更は当業者にはすぐに明らかになり、本明細書で定義された原理は本開示の範囲から逸脱することなく他の実施形態に適用され得る。したがって、本開示は、本明細書に示した実施形態に限定されるものではなく、以下の特許請求の範囲によって定義される原理および新規の特徴と一致することが可能な最も広い範囲が与えられるべきものである。
以下に本願発明の当初の特許請求の範囲に記載された発明を付記する。
［Ｃ１］  プログラマブルバッファにおいて入力クロック信号を受信することと、
電圧レベルを有するフィルタされた信号を生成するために前記プログラマブルバッファからの出力信号をフィルタすることと、前記電圧レベルが前記出力信号のデューティサイクルを示す、
前記電圧レベルを基準電圧と比較することと、
前記出力信号の前記デューティサイクルを調整するために前記プログラマブルバッファの少なくとも１つの動作パラメータを修正することと
を備える、方法。
［Ｃ２］  前記プログラマブルバッファが、前記入力クロック信号のデジタル電圧レベルに基づいておよび前記少なくとも１つの動作パラメータに基づいてノードを選択的に充電および放電するように構成され、ここにおいて、前記出力信号の前記デューティサイクルが前記ノードの充電速度および放電速度に応答する、Ｃ１に記載の方法。
［Ｃ３］  前記ノードを充電することが、前記少なくとも１つの動作パラメータに基づいて少なくとも１つのｐ形金属酸化物半導体（ＰＭＯＳ）トランジスタを選択的にアクティブにすることを含む、Ｃ２に記載の方法。
［Ｃ４］  前記ノードを放電することが、前記少なくとも１つの動作パラメータに基づいて少なくとも１つのｎ形金属酸化物半導体（ＮＭＯＳ）トランジスタを選択的にアクティブにすることを含む、Ｃ２に記載の方法。
［Ｃ５］  前記出力信号が出力クロック信号である、Ｃ１に記載の方法。
［Ｃ６］  前記出力信号が、前記少なくとも１つの動作パラメータを修正したことに応答して５０パーセントのデューティサイクルを有する、Ｃ１に記載の方法。
［Ｃ７］  前記入力クロック信号のデューティサイクルが５０パーセントでない、Ｃ６に記載の方法。
［Ｃ８］  前記基準電圧が、５０パーセントデューティサイクルを示す直流（ＤＣ）電圧レベルに対応する、Ｃ１に記載の方法。
［Ｃ９］  前記フィルタされた信号の前記電圧レベルが前記出力信号のＤＣ電圧レベルに対応する、Ｃ８に記載の方法。
［Ｃ１０］  前記少なくとも１つの動作パラメータを修正することが、電子デバイス中に統合されたプロセッサにおいて実行される、Ｃ１に記載の方法。
［Ｃ１１］  受信された入力クロック信号に基づいて出力信号を生成するように構成されたプログラマブルバッファを備え、ここにおいて、前記出力信号のデューティサイクルが、前記プログラマブルバッファの少なくとも１つの動作パラメータに基づいて調整される、装置。
［Ｃ１２］  前記プログラマブルバッファの前記少なくとも１つの動作パラメータを修正するように構成された較正機械をさらに備える、Ｃ１１に記載の装置。
［Ｃ１３］  前記出力信号をフィルタすることによってフィルタされた信号を生成するように構成されたローパスフィルタ回路をさらに備え、ここにおいて、前記フィルタされた信号が、前記出力信号の前記デューティサイクルを示す電圧レベルを有する、Ｃ１１に記載の装置。
［Ｃ１４］  前記プログラマブルバッファが、前記入力クロック信号のデジタル電圧レベルに基づいておよび前記少なくとも１つの動作パラメータに基づいてノードを選択的に充電および放電することを介して前記出力信号の前記デューティサイクルを調整するように構成された、Ｃ１１に記載の装置。
［Ｃ１５］  少なくとも１つの半導体ダイ中に統合される、Ｃ１１に記載の装置。
［Ｃ１６］  前記プログラマブルバッファがその中に統合される、セットトップボックス、音楽プレーヤ、ビデオプレーヤ、エンターテインメントユニット、ナビゲーションデバイス、通信デバイス、携帯情報端末（ＰＤＡ）、固定ロケーションデータユニット、およびコンピュータからなるグループから選択されたデバイスをさらに備える、Ｃ１０に記載の装置。
［Ｃ１７］  出力信号を生成し、前記出力信号のデューティサイクルを調整するための手段と、
電圧レベルを有するフィルタされた信号を生成するために前記出力信号をフィルタするための手段と、前記電圧レベルが前記出力信号の前記デューティサイクルを示す、
前記電圧レベルを基準電圧と比較するための手段と、
前記出力信号の前記デューティサイクルを調整するために、生成するための前記手段の少なくとも１つの動作パラメータを修正するための手段と
を備える、装置。
［Ｃ１８］  生成するための前記手段がプログラマブルバッファを含む、Ｃ１７に記載の装置。
［Ｃ１９］  少なくとも１つの半導体ダイ中に統合される、Ｃ１７に記載の装置。
［Ｃ２０］  生成するための前記手段と、フィルタするための前記手段と、比較するための前記手段と、修正するための前記手段とがその中に統合される、セットトップボックス、音楽プレーヤ、ビデオプレーヤ、エンターテインメントユニット、ナビゲーションデバイス、通信デバイス、携帯情報端末（ＰＤＡ）、固定ロケーションデータユニット、およびコンピュータからなるグループから選択されたデバイスをさらに備える、Ｃ１７に記載の装置。
［Ｃ２１］  プロセッサによって実行されたとき、前記プロセッサに、
プログラマブルバッファの少なくとも１つの動作パラメータを修正すること、ここにおいて、前記プログラマブルバッファが、前記少なくとも１つの動作パラメータに基づいて出力信号のデューティサイクルを調整するように構成される、
を行わせる命令を備える、非一時的コンピュータ可読媒体。
［Ｃ２２］  前記プログラマブルバッファが、入力クロック信号のデジタル電圧レベルに基づいておよび前記少なくとも１つの動作パラメータに基づいてノードを選択的に充電および放電するように構成され、ここにおいて、前記出力信号の前記デューティサイクルが前記ノードの充電速度および放電速度に応答する、Ｃ２１に記載の非一時的コンピュータ可読媒体。
［Ｃ２３］  前記命令が、セットトップボックス、音楽プレーヤ、ビデオプレーヤ、エンターテインメントユニット、ナビゲーションデバイス、通信デバイス、携帯情報端末（ＰＤＡ）、固定ロケーションデータユニット、およびコンピュータからなるグループから選択されたデバイス中に統合されたプロセッサによって実行可能である、Ｃ２１に記載の非一時的コンピュータ可読媒体。
［Ｃ２４］  入力クロック信号を受信することと、
プログラマブル遅延要素において遅延クロック信号を生成することと、
前記入力クロック信号と前記遅延クロック信号とに基づいて重複信号を生成することと、
電圧レベルを有するフィルタされた信号を生成するために前記重複信号をフィルタすることと、
制御信号を生成するために前記電圧レベルを基準電圧と比較することと、
前記制御信号に応答して前記プログラマブル遅延要素の遅延を調整することと
を備える、方法。
［Ｃ２５］  前記制御信号を生成することが、電子デバイス中に統合されたプロセッサにおいて実行される、Ｃ２４に記載の方法。
［Ｃ２６］  入力クロック信号を受信したことに応答して遅延クロック信号を生成するための手段と、
前記入力クロック信号と前記遅延クロック信号とに基づいて重複信号を生成するための手段と、
電圧レベルを有するフィルタされた信号を生成するために前記重複信号をフィルタするための手段と、
制御信号を生成するために前記電圧レベルを基準電圧と比較するための手段と、
前記制御信号に応答して、生成するための前記手段の遅延を調整するための手段と
を備える、装置。
［Ｃ２７］  少なくとも１つの半導体ダイ中に統合される、Ｃ２６に記載の装置。
［Ｃ２８］  前記遅延クロック信号を生成するための前記手段と、前記重複信号を生成するための前記手段と、フィルタするための前記手段と、比較するための前記手段と、調整するための前記手段とがその中に統合される、セットトップボックス、音楽プレーヤ、ビデオプレーヤ、エンターテインメントユニット、ナビゲーションデバイス、通信デバイス、携帯情報端末（ＰＤＡ）、固定ロケーションデータユニット、およびコンピュータからなるグループから選択されたデバイスをさらに備える、Ｃ２６に記載の装置。
［Ｃ２９］  入力クロック信号を受信したことに応答して遅延クロック信号を生成するように構成されたプログラマブル遅延要素を備え、ここにおいて、前記遅延クロック信号の遅延が、制御信号に基づいて調整可能である、
装置。
［Ｃ３０］  前記制御信号を生成するように構成された較正有限状態機械をさらに備える、Ｃ２９に記載の装置。
［Ｃ３１］  少なくとも１つの半導体ダイ中に統合される、Ｃ２９に記載の装置。
［Ｃ３２］  前記プログラマブル遅延要素がその中に統合される、セットトップボックス、音楽プレーヤ、ビデオプレーヤ、エンターテインメントユニット、ナビゲーションデバイス、通信デバイス、携帯情報端末（ＰＤＡ）、固定ロケーションデータユニット、およびコンピュータからなるグループから選択されたデバイスをさらに備える、Ｃ２９に記載の装置。
［Ｃ３３］  プロセッサによって実行されたとき、前記プロセッサに、
制御信号を生成することと、
プログラマブル遅延要素に前記制御信号を与えることと、ここにおいて、前記プログラマブル遅延要素が、前記制御信号に基づいて遅延クロック信号の遅延を調整するように構成される、
を行わせる命令を備える、非一時的コンピュータ可読媒体。
［Ｃ３４］  前記遅延クロック信号が、前記制御信号および入力クロック信号を受信したことに応答して前記プログラマブル遅延要素を生成される、Ｃ３３に記載の非一時的コンピュータ可読媒体。
［Ｃ３５］  前記命令が、セットトップボックス、音楽プレーヤ、ビデオプレーヤ、エンターテインメントユニット、ナビゲーションデバイス、通信デバイス、携帯情報端末（ＰＤＡ）、固定ロケーションデータユニット、およびコンピュータからなるグループから選択されたデバイス中に統合されたプロセッサによって実行可能である、Ｃ３３に記載の非一時的コンピュータ可読媒体。
［Ｃ３６］  プログラマブルバッファにおいて入力クロック信号を受信するためのステップと、
電圧レベルを有するフィルタされた信号を生成するために前記プログラマブルバッファからの出力信号をフィルタするためのステップと、前記電圧レベルが前記出力信号のデューティサイクルを示す、
前記電圧レベルを基準電圧と比較するためのステップと
前記出力信号の前記デューティサイクルを調整するために前記プログラマブルバッファの少なくとも１つの動作パラメータを修正するためのステップと
を備える、方法。
［Ｃ３７］  修正するための前記ステップが、電子デバイス中に統合されたプロセッサにおいて実行される、Ｃ３６に記載の方法。
［Ｃ３８］  半導体デバイスの少なくとも１つの物理的性質を表す設計情報を受信することと、前記半導体デバイスが、
受信された入力クロック信号に基づいて出力信号を生成するように構成されたプログラマブルバッファを備え、ここにおいて、前記出力信号のデューティサイクルが、前記プログラマブルバッファの少なくとも１つの動作パラメータに基づいて調整される、
ファイルフォーマットに準拠するように前記設計情報を変換することと、
前記変換された設計情報を含むデータファイルを生成することと
を備える、方法。
［Ｃ３９］  前記データファイルがＧＤＳＩＩフォーマットを備える、Ｃ３８に記載の方法。
［Ｃ４０］  前記データファイルがＧＥＲＢＥＲフォーマットを備える、Ｃ３８に記載の方法。